(57)【要約】【課題】非保湿ティシュー製品と同様の包装形態とすることができる保湿ティシュー製品を提供する。【解決手段】  保湿剤を含む複数のティシュペーパーをポップアップ式に折り畳み積層したウェブを、上面に取出口を有する直六面体形状の紙箱に収納したティシュペーパー製品であって、  前記ティシュペーパーは、プライ数が２プライであり、１プライの坪量が１１．７ｇ／ｍ2以上１３．０ｇ／ｍ2以下であり、２プライの紙厚が１２３μｍ超１４５μｍ以下であり、縦方向の乾燥引張強度が２７３ｃＮ／２５ｍｍ超３５２ｃＮ／２５ｍｍ以下であり、横方向の乾燥引張強度が９８ｃＮ／２５ｍｍ超１３２ｃＮ／２５ｍｍ未満であり、保湿剤の含有量が１．０ｇ／ｍ2以上２．５ｇ／ｍ2未満であり、ウェブの圧縮応力が０．４７ｇ／ｃｍ2超０．８９ｇ／ｃｍ2未満であり、ウェブの嵩に対する紙厚と組数を乗じた値の比が０．３４以上であり、紙箱の高さに対するウェブの嵩の比が０．９５以上１．０３未満であり、紙箱の長手方向の長さに対するティシュペーパーの横方向の長さの比が０．８４以上であり、空間容積率が７９％以上である、ティシュペーパー製品により解決される。【選択図】なし【特許請求の範囲】
【請求項１】
保湿剤を含む複数のティシュペーパーをポップアップ式に折り畳み積層したウェブを、上面に取出口を有する直六面体形状の紙箱に収納したティシュペーパー製品であり、
前記ティシュペーパーは、２プライであり、１プライの坪量が１１．７ｇ／ｍ2以上１３．０ｇ／ｍ2以下であり、２プライの紙厚が１２３μｍ超１４５μｍ以下であり、縦方向の乾燥引張強度が２７３ｃＮ／２５ｍｍ超３５２ｃＮ／２５ｍｍ以下であり、横方向の乾燥引張強度が９８ｃＮ／２５ｍｍ超１３２ｃＮ／２５ｍｍ未満であり、保湿剤の含有量が１．０ｇ／ｍ2以上２．５ｇ／ｍ2未満であり、
前記ウェブは、ウェブ圧縮応力が０．４７ｇ／ｃｍ2超０．８９ｇ／ｃｍ2未満であり、
かつ、ウェブ嵩に対する紙厚と組数を乗じた値の比が０．３４以上であり、
紙箱の高さに対するウェブ嵩の比が０．９５以上１．０３未満であり、
紙箱の長手方向の長さに対するティシュペーパーの横方向の長さの比が０．８４以上であり、
空間容積率が７９％以上である、
ことを特徴とするティシュペーパー製品。
【請求項２】
保湿剤が、グリセリンと１，３−プロパンジオールとを含み、グリセリンと１，３−プロパンジオールの質量比が１：０．０６以上１：０．０８以下であり、含有量が１．０ｇ／ｍ2以上２．５ｇ／ｍ2未満である請求項１記載のティシュペーパー製品。
【請求項３】
保湿剤を含む複数のティシュペーパーをポップアップ式に折り畳み積層したウェブを、上面に取出口を有する直六面体形状の紙箱に収納したティシュペーパー製品であって、
前記ティシュペーパーは、２プライであり、１プライの坪量が１１．７ｇ／ｍ2以上１３．０ｇ／ｍ2以下であり、２プライの紙厚が１２３μｍ超１４５μｍ以下であり、縦方向の乾燥引張強度が２７３ｃＮ／２５ｍｍ超３５２ｃＮ／２５ｍｍ以下であり、横方向の乾燥引張強度が９８ｃＮ／２５ｍｍ超１３２ｃＮ／２５ｍｍ未満であり、保湿剤の含有量が１．０ｇ／ｍ2以上２．５ｇ／ｍ2未満であり、
前記ウェブは、ウェブ圧縮応力が０．４７ｇ／ｃｍ2超０．８９ｇ／ｃｍ2未満であり、
かつ、ウェブ嵩に対する紙厚と組数を乗じた値の比が０．３４以上であり、
紙箱の高さに対するウェブ嵩の比が０．９５以上１．０３未満であり、
紙箱の長手方向の長さに対するティシュペーパーの横方向の長さの比が０．８４以上であり、
空間容積率が７９％以上である、
ティシュペーパー製品を、短側面を天地方向に向けて段ボールケースに収納されていることを特徴とするティシュペーパー製品包装体。
【請求項４】
保湿剤が、グリセリンと１，３−プロパンジオールとを含み、グリセリンと１，３−プロパンジオールの質量比が１：０．０６以上１：０．０８以下であり、含有量が１．０ｇ／ｍ2以上２．５ｇ／ｍ2未満である請求項３記載のティシュペーパー製品包装体。
【発明の詳細な説明】
【技術分野】
【０００１】
本発明は、ティシュペーパー製品に関し、特に、保湿剤が塗布されているティシュペーパーを収納箱に収納したティシュペーパー製品及び複数のティシュペーパー製品を段ボールケースに収納したティシュペーパー製品包装体に関する。
【背景技術】
【０００２】
複数組のティシュペーパーを折り畳み重ねたウェブを紙製の箱体に収納したティシュペーパー製品はよく知られる。係るティシュペーパー製品は、一般的には、長方形の上下面と、短側面と、長側面とで囲まれ、上面に取出口を有する、直六面体形状をなしている。
【０００３】
このティシュペーパー製品は、３個パック、５個パックというように、製品を上下方向に積み重ねてフィルム包装した状態で、段ケースや段ボール箱等ともいわれる段ボールケース内に複数個を配列収納して包装され、輸送、出荷、保管等される。
【０００４】
ところで、ティシュペーパー製品の中には、保湿剤を塗布したティシュペーパーを箱体に収納した製品と、保湿剤等が塗布されていない非保湿のティシュペーパーを箱体に収納した汎用品などといわれる製品がある。
【０００５】
汎用品におけるティシュペーパーは保湿剤が塗布されていないため水分率が低く、そのティシュペーパーのウェブは弾力性が高い。一方、保湿ティシューにおけるティシュペーパーは、保湿剤による吸湿作用によってウェブがしっとりと柔らかくなっているため、弾力性については汎用品ほどではない。このため、輸送時の衝撃や棚での陳列時に、図７に示すように、箱体内でウェブ３０２が撓みやすく、その撓んだ状態から復元し難い。そして、収納箱３０１内でウェブ３０２が撓んだ状態となると、上面３１１にある取出口からポップアップしてスムーズに取り出せなくなる。
【０００６】
このため、上記のティシュペーパー製品の段ボールケースに対する収納態様は、汎用品に係る製品２００が図６に示すように、段ボールケースの天地方向に対して、短側面２１４が上下方向になるように詰めるのに対して、保湿ティシューに係る製品３００は、図８に示すように、ウェブ３０２が撓まないように、段ボールケースの天地方向に対して、上面３１１が天井方向になるように詰められている。
【０００７】
そして、このような保湿ティシューに係る製品の包装態様の場合、段ボールケースの強度を高くしなければならないという問題がある。すなわち、段ボールケースに製品を収納した際に、図６に示す汎用品のように短側面２１４が天地方向となるように配列収納した場合には、段ボールケース内で長側面２１３と上面２１１及び下面２１２が柱の役目を果たすが、図８に示す保湿ティシューの製品のように上面３１１が天上方向となるように配列収納した場合には、短側面３１４と長側面３１３が柱の役目を果たすことになる。収納箱の上面３１１及び下面３１２は、短側面３１４よりも広いため、汎用品に比して保湿ティシューの製品では、柱の役目を果たす面の数が少なくなってしまう。このため、上記のとおり段ボールケースの強度を高くしなければならない。
【０００８】
また、段ボールケースにパック化された製品群パックを詰める際の向きが、生産量の多い汎用品と異なることになるため、保湿ティシューの製品群パックでは段ボールケースに詰める際にその向きを変更する操作が必要となり手間がかかるという問題もあった。
【０００９】
また、保湿ティシューの薬液を単に減らして、汎用品に近づけることで、ウェブのクッション性を高めることも考えられるが、単にそのようにすれば、保湿ティシューが有する滑らかさや柔らかさが低下する。
【先行技術文献】
【特許文献】
【００１０】
【特許文献１】特許第４７１５０７６号
【発明の概要】
【発明が解決しようとする課題】
【００１１】
そこで、本発明の主たる課題は、「柔らかさ」や「滑らかさ」に優れる保湿ティシューに係る製品であり、かつ、ウェブのクッション性に優れ、汎用品と同様の包装形態を採ることができる、ティシュペーパー製品、さらに、そのティシュペーパー製品を包装したティシュペーパー製品包装体を提供することにある。
【課題を解決するための手段】
【００１２】
上記課題を解決するための手段は次記のとおりである。
【００１３】
その第一の手段は、
保湿剤を含む複数のティシュペーパーをポップアップ式に折り畳み積層したウェブを、上面に取出口を有する直六面体形状の紙箱に収納したティシュペーパー製品であり、
前記ティシュペーパーは、２プライであり、１プライの坪量が１１．７ｇ／ｍ2以上１３．０ｇ／ｍ2以下であり、２プライの紙厚が１２３μｍ超１４５μｍ以下であり、縦方向の乾燥引張強度が２７３ｃＮ／２５ｍｍ超３５２ｃＮ／２５ｍｍ以下であり、横方向の乾燥引張強度が９８ｃＮ／２５ｍｍ超１３２ｃＮ／２５ｍｍ未満であり、保湿剤の含有量が１．０ｇ／ｍ2以上２．５ｇ／ｍ2未満であり、
前記ウェブは、ウェブ圧縮応力が０．４７ｇ／ｃｍ2超０．８９ｇ／ｃｍ2未満であり、
かつ、ウェブ嵩に対する紙厚と組数を乗じた値の比が０．３４以上であり、
紙箱の高さに対するウェブ嵩の比が０．９５以上１．０３未満であり、
紙箱の長手方向の長さに対するティシュペーパーの横方向の長さの比が０．８４以上であり、
空間容積率が７９％以上である、
ことを特徴とするティシュペーパー製品である。
【００１４】
第二の手段は、
保湿剤が、グリセリンと１，３−プロパンジオールとを含み、グリセリンと１，３−プロパンジオールの質量比が１：０．０６以上１：０．０８以下であり、含有量が１．０ｇ／ｍ2以上２．５ｇ／ｍ2未満である第一の手段のティシュペーパー製品である。
【００１５】
第三の手段は、
保湿剤を含む複数のティシュペーパーをポップアップ式に折り畳み積層したウェブを、上面に取出口を有する直六面体形状の紙箱に収納したティシュペーパー製品であって、
前記ティシュペーパーは、２プライであり、１プライの坪量が１１．７ｇ／ｍ2以上１３．０ｇ／ｍ2以下であり、２プライの紙厚が１２３μｍ超１４５μｍ以下であり、縦方向の乾燥引張強度が２７３ｃＮ／２５ｍｍ超３５２ｃＮ／２５ｍｍ以下であり、横方向の乾燥引張強度が９８ｃＮ／２５ｍｍ超１３２ｃＮ／２５ｍｍ未満であり、保湿剤の含有量が１．０ｇ／ｍ2以上２．５ｇ／ｍ2未満であり、
前記ウェブは、ウェブ圧縮応力が０．４７ｇ／ｃｍ2超０．８９ｇ／ｃｍ2未満であり、
かつ、ウェブ嵩に対する紙厚と組数を乗じた値の比が０．３４以上であり、
紙箱の高さに対するウェブ嵩の比が０．９５以上１．０３未満であり、
紙箱の長手方向の長さに対するティシュペーパーの横方向の長さの比が０．８４以上であり、
空間容積率が７９％以上である、
ティシュペーパー製品を、短側面を天地方向に向けて段ボールケースに収納されていることを特徴とするティシュペーパー製品包装体である。
【００１６】
第四の手段は、
保湿剤が、グリセリンと１，３−プロパンジオールとを含み、グリセリンと１，３−プロパンジオールの質量比が１：０．０６以上１：０．０８以下であり、含有量が１．０ｇ／ｍ2以上２．５ｇ／ｍ2未満である第三の手段のティシュペーパー製品包装体である。
【発明の効果】
【００１７】
以上の本発明によれば、「柔らかさ」や「滑らかさ」に優れる保湿ティシューに係る製品であり、かつ、ウェブのクッション性に優れ、汎用品と同様の包装形態を採ることができる、ティシュペーパー製品、さらに、そのティシュペーパー製品を包装したティシュペーパー製品包装体が提供される。
【図面の簡単な説明】
【００１８】
【図１】本発明に係るティシュペーパー製品を示す図である。
【図２】展開状態の箱体を示す図である。
【図３】本発明に係るティシュペーパー製品を示す他の図である。
【図４】本発明に係るティシュペーパー製品の使用状態を示す図である。
【図５】図４のＶ-Ｖ断面の概略図である。
【図６】汎用品のティシュペーパー製品の包装態様を説明するための図である。
【図７】箱体内でのウェブの撓みを説明するための図である。
【図８】従来の保湿ティシューに係る従来製品の包装態様を示す図である。
【発明を実施するための形態】
【００１９】
本発明の実施の形態を図１〜５を参照しながら以下に詳述する。
【００２０】
ティシュペーパー製品１００は、保湿剤を含む複数の２プライ１組のティシュペーパー２ｔ，２ｔ…が、折り畳まれ重層されてなるティシュペーパーのウェブ２が、上面１１に取出し口形成用の裂開用ミシン目線２０が形成された収納箱１に収納され、使用時にこの取出し口２０Ｘからティシュペーパー２ｔを取り出すと、隣接して積層されている下層のティシュペーパーの一部が取出し口２０Ｘから露出される。
【００２１】
ティシュペーパーのウェブ２は、方形のティシュペーパー２ｔが実質的に二つ折りされ、その折り返し片の縁が上下に隣接するティシュペーパーの折り返し内面に位置するようにして、互い違いに重なり合いつつ積層されている。このようなウェブは、ポップアップ式のウェブなどともいわれる。なお、ここで実質的にとは、製造上の形成される縁部の若干の折り返しを許容する意味である。
【００２２】
この積層構造のティシュペーパーのウェブ２は、最上位に位置する２プライ一組の折り返し片を上方に引き上げると、その直下で隣接する他の２プライ一組の折り返し片が、摩擦により上方に引きずられて持ち上げられる。そして、かかる構造のウェブ２は、その最上面が上述の上面１１に取出し口２０Ｘを有する収納箱１の当該上面に向かいあって収納され、前記取出し口２０Ｘ、特にスリット３１から最初の一組（最上面に位置する一組）が引き出されたときに、その直近下方に位置する他の一組の一部が露出される。なお、本発明のおけるティシュペーパー２ｔの積層枚数が限定されないが、この種の製品の一般的な積層枚数を例示すれば、１２０〜２４０組である。このウェブ２は、マルチスタンド式、ロータリー式のインターフォルダにより製造することができる。
【００２３】
ウェブ２を構成するティシュペーパー２ｔは、２プライのティシュペーパーである。つまり２枚の薄葉紙が積層されて一組となっている。薄葉紙の原料パルプとしては、ＮＢＫＰと略される針葉樹クラフトパルプとＬＢＫＰと略される広葉樹クラフトパルプとを配合したものである。適宜古紙パルプが配合されていてもよいが、風合いなどの点で、ＮＢＫＰとＬＢＫＰのみから構成されているのがよい。その場合配合割合としては、ＮＢＫＰ：ＬＢＫＰ＝２０：８０〜８０：２０がよく、特に、ＮＢＫＰ：ＬＢＫＰ＝３０：７０〜６０：４０が望ましい。
【００２４】
ティシュペーパー２ｔは、公知の技術によって抄紙して製造することができる。なお、パルプ１トン当たりコットンリンターを１ｋｇ以下配合するのが望ましい。パルプ繊維との絡み合いによりふんわりやわらかな風合いとなることがある。  ティシュペーパー２ｔの１プライあたりの坪量は、保湿剤を含んだ状態で、１１．７ｇ／ｍ2以上１３．０ｇ／ｍ2以下である。この坪量の範囲であれば、柔らかさ及び十分な強度を確保することができる。また、クッション性のあるウェブとなり、後述の紙箱との関係で汎用品と同様の包装形態を採ることが可能となる。なお、坪量は、ＪＩＳ Ｐ ８１２４（１９９８）の坪量測定方法による。
【００２５】
ティシュペーパーの紙厚は、２プライの紙厚が１２３μｍ超１４５μｍ以下である。紙厚がこの範囲であると、柔らかさ及び十分な強度を確保することができる。また、ウェブのクッション性を確保でき、後述の収納箱との関係で汎用品と同様の包装態様を採ることが可能となる。なお、紙厚は、試験片をＪＩＳ Ｐ ８１１１（１９９８）の条件下で十分に調湿した後、同条件下でダイヤルシックネスゲージ（厚み測定器）「ＰＥＡＣＯＣＫ Ｇ型」（尾崎製作所製）を用いて２プライの状態で測定した値である。測定方法は、プランジャーと測定台の間にゴミ、チリ等がないことを確認してプランジャーを測定台の上におろし、前記ダイヤルシックネスゲージのメモリを移動させてゼロ点を合わせ、次いで、プランジャーを上げて試料を試験台の上におき、プランジャーをゆっくりと下ろしそのときのゲージを読み取る。このとき、プランジャーをのせるだけとする。プランジャーの端子は金属製で直径１０ｍｍの円形の平面が紙平面に対し垂直に当たるようにし、この紙厚測定時の荷重は、約７０ｇｆである。なお、紙厚は、１０回の測定値の平均値とする。
【００２６】
ティシュペーパーの縦方向の乾燥引張強度は、２７３ｃＮ／２５ｍｍ超３５２ｃＮ／２５ｍｍ以下であり、横方向の乾燥引張強度は９８ｃＮ／２５ｍｍ超１３２ｃＮ／２５ｍｍ未満である。縦方向及び横方向の乾燥引張強度がこの範囲であると、柔らかさ及び十分な強度を確保することができる。また、クッション性のあるウェブとなり、後述の収納箱との関係で汎用品と同様の包装形態を採ることが可能となる。ここで、紙の縦方向とは、ＭＤ方向とも呼ばれ、抄紙の際の流れ方向である。紙の横方向は、ＣＤ方向とも呼ばれ、抄紙の際の流れ方向（ＭＤ方向）に直行する方向である。乾燥引張強度は、ＪＩＳ Ｐ ８１１３に基づいて測定した値であり、次のようにして測定する。試験片は縦・横方向ともに幅２５ｍｍ（±０．５ｍｍ）×長さ１５０ｍｍ程度に裁断したものを用いる。ティシュペーパーは複数プライのまま測定する。試験機は、ミネベア株式会社製ロードセル引張り試験機ＴＧ−２００Ｎ及びこれに相当する相当機を用いる。なお、つかみ間隔１００ｍｍ、引張速度は１００ｍｍ／ｍｉｎに設定する。測定は、試験片の両端を試験機のつかみに締め付け、紙片を上下方向に引張り荷重をかけ、紙が破断する時の指示値（デジタル値）を読み取る手順で行う。縦方向、横方向ともに各々５組の試料を用意して各５回ずつ測定し、その測定値の平均を各方向の乾燥引張強度とする。乾燥引張強度は、乾燥紙力剤を紙料或いは湿紙に内添することにより行うことができる。乾燥紙力剤としては、澱粉、ポリアクリルアミド、ＣＭＣ（カルボキシメチルセルロース）若しくはその塩であるカルボキシメチルセルロースナトリウム、カルボキシメチルセルロースカルシウム、カルボキシメチルセルロース亜鉛等が挙げられる。
【００２７】
ティシュペーパー中の保湿剤の含有量は、１．０ｇ／ｍ2以上２．５ｇ／ｍ2未満である。この範囲であれば、保湿剤による柔らかさを十分に発現することができる。この含有量は絶乾時の値である。なお、絶乾時とは、温度６５℃、湿度１０％で恒量となるまで乾燥させた状態である。保湿剤は、水系薬液、ローション薬液ともいわれるものであり、ポリオール、糖類、１，３プロパンジオールを少なくとも一つ含むものが望ましい。ポリオールとしては、グリセリン、ジグリセリン、プロピレングリコール、１，３−ブチレングリコール、ポリエチレングリコール、およびその誘導体等の多価アルコールが挙げられる。糖類としては、ソルビトール、グルコース、キシリトール、マルトース、マルチトール、マンニトール、トレハロース等が挙げられる。特に好ましい保湿剤は、グリセリンと１，３−プロパンジオールを含むものである。グリセリンの吸湿効果によって、紙中の水分率が高められ、しっとり感と柔らかさが高められる一方で、１，３−プロパンジオールによって「柔らかさ」が高められるとともに、表面がさらっとした感触となる。このため、この組み合わせとすると、「柔らかさ」と「ふんわりとした嵩高感」と「表面の滑らかさ」とに優れるものとなり、ウェブのクッション性と収納箱によるウェブの拘束性が適度になり、後述の紙箱との関係で汎用品と同様の包装形態としやすい。保湿剤が、グリセリンと１，３−プロパンジオールとを含む場合、グリセリンと１，３−プロパンジオールの質量比は１：０．０６以上１：０．０８以下、含有量が１．０ｇ／ｍ2以上２．５ｇ／ｍ2未満であるのがよい。また、この場合、ティシュペーパー中に、グリセリンを７９．４質量％以上８０．４質量％以下、１，３プロパンジオール５.０質量％以上６．５質量％以下含有するのがよい。保湿剤が、グリセリンと１，３−プロパンジオールとを含む場合、ティシュペーパー中には、グリセリンと１，３−プロパンジオール以外に公知の助剤が含有されてもよい。助剤の例としては、ティシュペーパー中の水分の保持性を高めるための、親水性高分子ゲル化剤、界面活性剤や柔軟性向上剤、滑らかさの発現を補助する流動パラフィンなどの若干量の油性成分、その他、保湿剤の安定化、塗布性を向上させるための乳化剤、防腐剤、消泡剤等が挙げられる。また、糖類、保湿補助成分、水分の保持性を高める親水性高分子ゲル化剤等の成分の配合量は、「ふんわりとした嵩高感」、「柔らかさ」及び「表面の滑らかさ」に過度の影響を及ぼさない程度とする。具体的には、１．０質量％以下、好ましくは０．６質量％以下、より好ましくは０．５質量％以下とするのがよい。
【００２８】
他方、本発明に係るウェブは、ウェブ圧縮応力が０．４７ｇ／ｃｍ2超０．８９ｇ／ｃｍ2未満である。なお、ウェブ圧縮応力は、次の（１）〜（５）ようにして測定する。
（１）ウェブを紙箱から取り出し、恒温恒湿室（調湿環境：ＪＩＳ  Ｐ  ８１１１に規定される２３℃、５０％Ｒ．Ｈ）に２４時間放置する。
（２）凹凸のない水平な試験台の上にウェブを載置して、ウェブ嵩を測定する。なお、ウェブ嵩の測定法は次のとおりである。ウェブ上に、幅：１２０ｍｍ、長さ：２２０ｍｍ、厚さ：３ｍｍのアクリル板を載せて静止させ、金尺（ＪＩＳ  １級）によって、試験台からアクリル板の４角までの各高さを測定し、その平均値を算出する。この平均値ｎ＝５で測定し、その平均値をウェブ嵩とする。なお、ウェブの縁が、上記大きさのアクリル板よりはみ出すものである場合には、上面の縁より５ｍｍ以下の範囲内ではみ出す大きさの長方形のアクリル板を使用する。但し、アクリル板は、ウェブ上面に載せた際に、その質量でウェブ上面が沈みこまない程度の質量のものとする。１００組以上の公知の形状の直六面体のウェブの場合８０ｇ以下であれば十分である。
（３）アクリル板の中央部に分銅２００ｇ（株式会社大正天びん製作所性Ｍ１ＣＳＢ‐２００ＧＪ）を載せてウェブを圧縮し、この圧縮された状態のウェブについて上記（２）のウェブ嵩と同様に金尺（ＪＩＳ１級）にて、試験台からアクリル板の４角までの各高さを測定し、その平均値を算出する。この平均値ｎ＝５で測定し、その平均値を圧縮状態のウェブ嵩とする。
（４）アクリル板上に載置した分銅の重さ（２００ｇ）と、ウェブ嵩と圧縮状態のウェブ嵩との差から、ウェブ゛嵩を１ｍｍ圧縮するのに必要な分銅の重さを算出する。
（５）ウェブのアクリル板に接する面積から１ｃｍ2あたりのウェブ嵩が１ｍｍ圧縮される分銅の重さｇを算出し、これをウェブ圧縮応力とする。
このウェブ圧縮応力は、紙厚、坪量、ウェブを構成する枚数、さらにはウェブ形成時のテンションによって調整される。このウェブ圧縮応力の範囲であれば、ウェブのクッション性が十分に高く、収納箱内で撓みがたく、汎用品と同様の包装形態を採ることができる。
【００２９】
他方で、ティシュペーパーのウェブを収納する収納箱は、カートン箱とも呼ばれる直六面体形状の収納箱であり、製品外殻をなすものである。この収納箱１は、上面１１に取出し口２０Ｘを形成するための裂開用ミシン目２０を有する紙箱と、このミシン目２０により囲まれる範囲２０ａを内側から覆うシート材３０とを有している。
【００３０】
紙箱１０は、収納箱１の外郭をなすものであり、その大きさ、形状、展開形状等は既知の収納箱の紙箱の構成が採用される。一般的な収納箱の大きさは、概ね長手縁Ｌ１が１１０〜３２０ｍｍ、短手縁Ｌ２が７０〜２００ｍｍ、高さＬ３が４０〜１５０ｍｍ程度であり、本発明に係る収納箱１もこの大きさとすることができる。
【００３１】
また、紙箱１０の基材は、バージンパルプ、古紙パルプ等の各種のパルプを主原料とする既知の紙素材が採用でき、好適な紙箱１０の素材は、坪量２５０〜５００ｇ／ｍ2のコートボール紙である。
【００３２】
紙箱１０の構造は、図２、図３に示すように、底面１２と一方の長側面１３を糊代部１２Ａで糊付けして筒状とした後、上面１１、底面１２及びこれらを連接する長側面１３から延出する各フラップＦ，Ｆ…を箱内面側に折り返し、各フラップＦ，Ｆ…の当接部分をホットメルト接着剤等により接着して短側面１４を構成した構造となっている。なお、本発明の紙箱１０は、この構造に限定されるわけではない。
【００３３】
他方、収納箱１は、その紙箱１０の上面に形成される裂開用ミシン目線２０は環状又は略Ｃ状をなし、適宜のカットタイ比で構成される。図示の形態は、裂開用ミシン目線を環状に配している例である。裂開用ミシン目線２０は、通常のミシン目線の他、二重ミシン目線、ジッパーミシン目線等で構成することができる。一部分のみ二重ミシン目線としてもよい。裂開用ミシン目線２０は、紙箱長手方向に延在する長辺２１，２１とこの長辺２１，２１の端同士を繋ぐ短手縁に平行な短辺２２，２２とを有し、裂開用ミシン目線２０に囲まれる範囲２０ａの形状は、収納箱１の長手方向に沿う方向が長い適宜の形状となっている。一般的には、収納箱１の長手方向に沿うやや細長い角取り矩形、或いはその矩形の長辺２１，２１の中央部を外方に向かってやや膨張させてアーチ状とし、楕円に近い形状としたものである。図示の形態は後者の例である。
【００３４】
他方、収納箱１におけるシート材３０は、前記裂開用ミシン目線２０により囲まれる範囲２０ａより大きく、例えば、矩形や楕円形であり、紙箱上面の内面側において、特に裂開用ミシン目線２０の切り剥がしに影響がないように、裂開用ミシン目線２０の外側で接着剤５２によって接着されている。このシート材３０には、スリット３１が形成されており、このスリット３１は裂開用ミシン目線２０により囲まれる範囲２０ａで長手方向に沿って位置されている。したがって、図３、図４に示すとおり、裂開用ミシン目線２０に沿ってその裂開用ミシン目線２０で囲まれる範囲２０ａを切り剥がすことにより、紙箱上面１１に取出し口２０Ｘが形成されるとともに、前記シート材３０及びそれに形成されたスリット３１が取出し口２０Ｘを介して露出される。
【００３５】
収納箱１にウェブとして収納されているティシュペーパー２ｔ等は、図示例のとおり、前記スリット３１を介して取出し口２０Ｘから２プライ一組ずつ取り出される。そして、当該スリット３１は、取出し口２０Ｘから露出するティシュペーパー２ｔの一部を支持して収納箱内部に落ち込むことを防止する。
【００３６】
本実施形態のティシュペーパー製品は、ウェブ嵩に対する紙厚と組数を乗じた値の比が０．３５以上である。ウェブ嵩とは、上記ウェブ圧縮率の測定に記載の方法により測定する。すなわち、ウェブを紙箱から取り出し、恒温恒湿室（調湿環境：ＪＩＳ  Ｐ  ８１１１に規定される２３℃、５０％Ｒ．Ｈ）に２４時間放置し、その後、凹凸のない水平な試験台の上にウェブを載置して、ウェブ上にアクリル板（厚さ：３ｍｍ、幅：２２ｍｍ、長さ：１２０ｍｍ）を載せて静止させ、金尺（ＪＩＳ  １級）によって、試験台からアクリル板の４角までの各高さを測定し、その平均値を算出する。この平均値ｎ＝５で測定し、その平均値をウェブ嵩とする。ウェブ嵩に対する紙厚と組数を乗じた値の比が０．３５以上であれば、ウェブのクッション性が十分に高くかつウェブが収納箱内でつぶれ難く、収納箱内で撓みがたく、汎用品と同様の包装形態を採ることができる。
【００３７】
また、ティシュペーパー製品は、紙箱の高さに対するウェブ嵩の比が０．９５以上１．０３未満である。この範囲であると、ウェブが箱体内で上下方向につぶされていないか、若干つぶれた状態であるためウェブのクッション性及び復元性に優れ、収納箱内で撓みがたく汎用品と同様の包装形態を採ることができる。また、過度につぶれた状態ではないため、使用時にティシュペーパー一組が薄く硬くならず、保湿ティシュー特有の優れた「柔らかさ」や「滑らかさ」が損なわれない。
【００３８】
また、ティシュペーパー製品１００は、紙箱１０の長手方向（幅）の長さに対するティシュペーパーの横方向の長さの比が０．８４以上であり、空間容積率が７９％以上である。紙箱１０の長手方向の長さに対するティシュペーパーの横方向の長さの比が０．８４以上あると、紙箱内におけるウェブの長手方向への移動が制限されるため、ウェブが撓み難くなる。また、空間容積率が７９％以上であると、より収納箱内で撓み難い。ここで、本発明に係る空間容積率とは、紙箱外面の高さ（上下面間の長さ）と幅（上面の長手方向長さ）と奥行（上面の短手方向長さ）を乗じた値に対するウェブ嵩とウェブの奥行きとティシュペーパーの横方向の長さ(MD方向)を乗じた値で除した値として算出した値である。なお、紙箱１０の高さ、幅、長さ及びウェブの奥行は、金尺（ＪＩＳ  １級）により測定し、紙厚は無視する。
【００３９】
ここで、ティシュペーパーのウェブ２は、マルチスタンド式、ロータリー式のインターフォルダにより製造することができるが、好ましいウェブは、マルチスタンド式インターフォルダにより製造されたものである。マルチスタンド式インターフォルダによるウェブは、ウェブの折縁が並ぶ長手方向が、紙の縦方向（ＭＤ方向）に沿う方向となる。そして、ティシュペーパーは、紙の縦方向に直行する横方向（ＣＤ方向）に沿ってクレープと称される凹凸が延在するため、この凹凸が交互に連続するように存在する縦方向（ＭＤ方向）がウェブの長手方向となっている方がウェブが滑りづらく、より撓み難いものとなる。
【００４０】
以上の本発明に係るティシュペーパー製品は、図６に示すように、短側面が天地方向となるようにして段ボールケース内に収納するのが望ましい。もちろん、ティシュペーパー製品は、３個パック、５個パックというように、製品を上下方向に積み重ねてフィルム包装した一般的なパック包装状態で、段ボールケース内に収納してもよい。従来の保湿ティシュペーパーに係る製品は、このような収納態様とすると、荷積みや輸送時における振動や紙箱内でウェブが自重で撓み、使用時に取り出し不良となる問題があるが、本発明に係るティシュペーパー製品は、ウェブの特性と紙箱との関係によって、「柔らかさ」や「滑らかさ」に優れる保湿ティシューでありながら、特にウェブが収納箱内で撓み難くなり、汎用品と同様の包装形態を採ることができる。さらに、保湿剤が、グリセリンと１，３−プロパンジオールである場合にその効果はより顕著となる。また、係る収納態様の場合には、天地方向に向かう面の数が多くなるため、上下方向の圧縮強度が高まる。ゆえに、段ボールケースを構成するシート材の坪量を低いものとすることが可能となり、包装コストを低下させることができる。従来一般には、保湿ティシューに係る製品の包装に用いられる段ボールケースの原紙構成は外層・中層が１７０〜２１０ｇ／ｍ2、中芯が１８０〜２００ｇ／ｍ2である。汎用品に係る製品の包装に用いられる段ボールケースの原紙構成は外層・中層が１６０〜１７０ｇ／ｍ2、中芯が１２０〜１６０ｇ／ｍ2である。本発明に係るティシュペーパー製品では、上記包装に汎用品で用いられる原紙構成の外層・中層が１６０〜１７０ｇ／ｍ2、中芯が１２０〜１６０ｇ／ｍ2の段ボールケースを使用でき、従来にないティシュペーパー製品包装体とすることができる。
【実施例】
【００４１】
次いで、本発明に係るティシュペーパー製品と、本発明とは異なるティシュペーパー製品に係る試料を作成し、「ウェブの撓み（尺取り、ウェブ偏り）」、「取り出し時の破れ」、「ふんわり感」、「柔らかさ」、「滑らかさ」、「総合評価（購入意欲）」を評価項目として、下記試験を行なった。各試料の物性値・組成値及び試験結果は、下記表１示すとおりである。なお、ティシュペーパー原紙は、すべて同一のものとした。なお、比較例１〜３は、保湿剤を含まないティシュペーパーに係る製品、実施例１〜５及び比較例４〜６は、保湿剤を含む保湿ティシューにかかる製品である。なお、表中で示される物性値及び組成値の測定方法は次のとおりである。
【００４２】
〔密度〕
２プライでの坪量（１プライの坪量×２）と２プライの紙厚とから算出した。単位はｇ／ｃｍ3、小数点２桁で表した。２プライの紙厚は、各層に剥離しない状態で、各層の紙厚を測定するのと同様に行った。
【００４３】
〔湿潤引張強度〕
ＪＩＳ  Ｐ  ８１３５（１９９８）の引張試験に従って測定した。
試験片は縦・横方向ともに幅２５ｍｍ（±０．５ｍｍ）×長さ１５０ｍｍ程度に裁断したものを用いた。ティシュペーパーは複数プライの場合は複数プライのまま測定した。試験機は、ミネベア株式会社製ロードセル引張り試験機ＴＧ−２００Ｎを用いた。つかみ間隔が１００ｍｍに設定した。測定は、１０５℃の乾燥機で１０分間のキュアリングを行った試験片の両端を試験機のつかみに締め付け、次に、水を含ませた平筆を用い、試験片の中央部に約１０ｍｍ幅で水平に水を付与し、その後、直ちに紙片に対して上下方向に引張り荷重をかけ、紙が破断する時の指示値（デジタル値）を読み取る手順で行った。引張速度は５０ｍｍ／ｍｉｎとした。縦方向、横方向ともに各々５組の試料を用意して各５回ずつ測定し、その測定値の平均を各方向の湿潤引張強度とした。
【００４４】
〔伸び率〕
ＪＩＳ  Ｐ  ８１１３（１９９８）の引張試験に従って、ミネベア株式会社製ロードセル引張り試験機ＴＧ−２００Ｎを用い、乾燥引張強度に係る試料及び測定手順に準じて測定した。
【００４５】
〔ソフトネス〕
ＪＩＳ  Ｌ  １０９６  Ｅ法に準じたハンドルオメータ法に従って測定した。但し、試験片は１００ｍｍ×１００ｍｍの大きさとし、クリアランスは５ｍｍとして実施した。１プライで縦方向、横方向の各々５回ずつ測定し、その全１０回の平均値を、ｃＮ／１００ｍｍを単位として表した。ソフトネスは、柔らかさの指標の一つである。
【００４６】
〔ＭＭＤ〕
ＭＭＤ（平均摩擦係数の変動）は、平均摩擦係数からどれだけ変動があるかという変動の度合いを示す値であり、滑らかさの指標でもある。数値が小さいほど滑らかとされる。測定は、カトーテック株式会社製の摩擦感テスターＫＥＳ−ＳＥを用いて測定した。測定方法は、摩擦子の接触面を所定方向に２０ｇ／ｃｍの張力が付与された測定試料の表面に対して２５ｇの接触圧で接触させながら、張力が付与された方向と略同じ方向に速度０．１ｃｍ／ｓで２ｃｍ移動させて行った。なお、摩擦係数を摩擦距離（移動距離＝２ｃｍ）で除した値がＭＭＤである。摩擦子は、標準付属の１０ｍｍ角のピアノワイヤセンサーである。この摩擦子は、直径０．５ｍｍのピアノ線Ｐを２０本隣接させてなり、長さ及び幅がともに１０ｍｍとなるように形成された接触面を有している。接触面には、先端が２０本のピアノ線Ｐ（曲率半径０．２５ｍｍ）で形成された単位膨出部が形成されている。ＭＭＤの測定は、縦方向、横方向の各５回、合計１０回行い、その測定値の平均値をＭＭＤとする。
【００４７】
〔グリセリン及び１．３プロパンジオールの含有量〕
グリセリン及び１．３プロパンジオールの含有量は、紙中比率であり、絶乾時の試料の質量に対するグリセリン及び１．３プロパンジオールの質量の割合である。絶乾時とは、温度６５℃、湿度１０％で恒量となるまで乾燥させた状態である。
【００４８】
〔ウェブの撓み〕
保湿ティシュー製品を図６のように短側面を天地方向にして１か月間積み付け保管した。その後、収納箱内におけるウェブの状態を通常のティシュペーパーを取り出す際と同様に、紙箱底面を下になるように置き、取出し口のミシン目を開封して取出し口を開封し、目視にて撓みを確認し、さらに、ウェブを収納箱から取出し、取出し口から見えない縁の部分においても撓みがないことを目視にて確認した。ウェブが上面側に向かって撓む現象（尺取り）や、ウェブが収納箱で過度に偏っての端部が撓む現象（ウェブ偏り）が確認されたものを×、確認できないものを〇とした。
【００４９】
〔取り出し時の破れ〕
取出し口からポップアップ式に２プライ一組ずつ順次取り出した際に、ティシュペーパーが破れることがあったもの、また、最初に２プライ一組が取り出せないものを×、それ以外を〇と評価した。
【００５０】
〔官能試験〕
評価者を３０人とし、比較例３を基準試料として、その基準試料との比較で「ふんわり感」、「柔らかさ」、「滑らかさ」及びについて、「大変優れている」と感じたものについて「５」、「優れている」と感じたものについて「４」、「優れるとも劣るとも言えない」と感じたものについては「３」、「悪い」と感じたものについては「２」、「非常に悪い」と感じたものについては「１」と評価し、各評価者の平均点を算出したものを評価値とした。
また、「総合評価」は、「肌触りが良く、購入意向が大変高い」と感じたものについては「５」、「肌触りが良く、購入意向が高い」と感じたものについては「４」、「肌触りは普通で、購入意向が高いとも低いとも言えない」と感じたものについては「３」、「肌触りに劣り、購入意向が低い」と感じたものについては「２」、「肌触りが非常に劣り、購入意向はほぼない」と感じたものについては「１」と評価したもので、各評価者の平均点を算出したものを評価値とした。
【００５１】
【表１】
2019055060.tif 000002
【００５２】
〔試験結果〕
まず、比較例１〜比較例３に係る保湿剤を含まないティシュペーパーは、収納箱内でのウェブの撓みは生じなかったが、保湿ティシューに係る他の例に比して、「柔らかさ」、「滑らかさ」、「ふんわり感」といった官能評価は劣る。また、比較例３では、ウェブの撓みは確認できなかったが、取り出し時にティシュペーパーの破れが確認された。比較例３は、収納箱内においてウェブが過度に詰められた状態になっていることが原因と考えらえる。
【００５３】
他方、比較例４〜６は、保湿ティシューに係る製品であり、「柔らかさ」、「滑らかさ」、「ふんわり感」は、比較例３（基準品）より優れているが、すべての例で収納箱内でウェブが撓む現象が確認された。また、比較例６においては、ポップアップによる取り出し時に破れも確認された。比較例６は、実施例よりもウェブが紙箱内で詰められた状態よりも拘束された状態にあるにも関わらず、撓みが生じている。ウェブを収納箱内に密に詰めるだけでは、撓みを改善できないといえる。また、過度に拘束された状態となるとウェブのクッション性による撓み復元の作用も小さくなり、いったん撓んだ状態が維持されやすく、取り出し性も悪化したと考えられる。対して、本発明の実施例１〜５は、「柔らかさ」、「滑らかさ」、「ふんわり感」は、比較例３（基準品）より優れており、保湿ティシューによる効果が十分に発現している。さらに、これら実施例では、収納箱内でウェブが撓む現象は見られず、ポップアップによる取り出し性にも問題がなかった。
【００５４】
以上の比較からしてみると、本発明に係る構成とすることで、「柔らかさ」や「滑らかさ」に優れる保湿ティシューに係る製品でありながら、ウェブのクッション性が確保され、汎用品と同様の包装形態を採ることができる、ティシュペーパー製品となる。
【符号の説明】
【００５５】
１００…ティシュペーパー製品、２ｔ…ティシュペーパー、２…ティシュペーパーのウェブ、１１…収納箱（紙箱）上面、２０…裂開用ミシン目線、１…収納箱、２０Ｘ…取出し口、３１…スリット、３０…シート材、１０…紙箱、Ｌ１…収納箱の長手縁、Ｌ２…収納箱の短手縁、Ｌ３…収納箱の高さ、１２…収納箱（紙箱）底面、１２Ａ…糊代部、１３…収納箱（紙箱）長側面、１４…収納箱（紙箱）短側面、Ｆ…フラップ、２１…裂開用ミシン目線の長辺、２２…裂開用ミシン目線の短辺、２０ａ…取出し口形成部（裂開用ミシン目線で囲まれる範囲）、１１ｉ…の裂開用ミシン目線で囲まれる範囲の収納箱（紙箱）上面の内側面、５１、５２…接着剤。
【図１】
2019055060.tif 000003
【図２】
2019055060.tif 000004
【図３】
2019055060.tif 000005
【図４】
2019055060.tif 000006
【図５】
2019055060.tif 000007
【図６】
2019055060.tif 000008
【図７】
2019055060.tif 000009
【図８】
2019055060.tif 000010